(57)【要約】【課題】天井扇などの駆動用に使用される外転型コンデンサ電動機の固定子において、絶縁性能を十分に確保しながら薄型化を実現し、生産コストを低減させることを目的としている。【解決手段】固定子鉄心２と巻線１０、１１の電気的絶縁を施す絶縁体１２は、軸方向から重ね合わせる分割構造であるとともに、１つの絶縁体１２が１つの第１歯部４と、ここから延設する二股の第２歯部５とを同時に絶縁するよう、周方向に分割しているもので、個々の絶縁体１２の寸法を小さくでき、絶縁性能を十分に確保しながら薄型化を実現し、生産コストを低減できる外転型コンデンサ電動機の固定子が得られる。【選択図】図１
2009071913.tif 000002
【特許請求の範囲】
【請求項１】
中心に中空軸を保持する中心孔を有し、この中心孔の外周にＡ相巻線を巻装する第１歯部によって形成される第１スロットを放射状に配し、この第１歯部からさらに外周方向に二股に延設してＢ相巻線を巻装する第２歯部によって形成される第２スロットを有する固定子鉄心と、前記中心孔と前記第１歯部との間に配する運転用コンデンサと、前記第１歯部と第２歯部を絶縁する樹脂成型品からなる絶縁体とからなり、この絶縁体は、前記第１スロットおよび第２スロット内で軸方向から重ね合わせる分割構造であるとともに、１つの絶縁体が１つの第１歯部と、ここから延設する２つの第２歯部とを同時に絶縁するよう、前記第１スロット部で分割して複数からなる構成の外転型コンデンサ電動機の固定子。
【請求項２】
絶縁体の上面にＡ相巻線の内周側に位置する内壁と、Ｂ相巻線の外周側に位置する外壁と、前記Ａ相巻線とＢ相巻線を分離する位置に中間壁とを立設する構成の請求項１記載の外転型コンデンサ電動機の固定子。
【請求項３】
中間壁に巻線端末を絡げる金属端子の取付け部を設ける請求項２記載の外転型コンデンサ電動機の固定子。
【請求項４】
隣り合う絶縁体の一方の絶縁体に、第１スロット部に軸方向に垂直な方向に薄肉の鍔部を延設し、他方の絶縁体に前記鍔部を係合する段部を形成する請求項１記載の外転型コンデンサ電動機の固定子。
【請求項５】
絶縁体の第２歯部の外側に、スロット開口絶縁部を軸方向に延設する請求項１記載の外転型コンデンサ電動機の固定子。
【請求項６】
運転用コンデンサは樹脂製のケースにコンデンサ素子が封入された形態で、前記ケースの一端にターミナルベース部を形成し、他端に中空軸に対し爪状の係合部を形成してなる請求項１記載の外転型コンデンサ電動機の固定子。
【請求項７】
中空軸に係合段部を形成し、この係合段部に運転用コンデンサのケースに設ける爪状の係合部を係合させる請求項１記載の外転型コンデンサ電動機の固定子。
【請求項８】
固定子鉄心の表面に係合孔を形成し、運転用コンデンサのケース底面に凸部を設け、この凸部を前記係合孔に係合させる請求項１記載の外転型コンデンサ電動機の固定子。
【請求項９】
底面に設ける凸部を、封入しているコンデンサ素子と離れる位置に設ける請求項８記載の外転型コンデンサ電動機の固定子。
【請求項１０】
運転用コンデンサのケースの一端に設けるターミナルベース部は、Ｂ相巻線の直上まで延設し、上面に温度過昇防止装置取付け部、巻線端末を絡げた端子を挿通させる端子孔を設ける請求項６記載の外転型コンデンサ電動機の固定子。
【請求項１１】
温度過昇防止装置取付け部に、巻線と温度過昇防止装置のリード線と絶縁距離が確保できる最大限の切欠きを設ける請求項１０記載の外転型コンデンサ電動機の固定子。
【請求項１２】
中心に中空軸を保持する中心孔を有し、この中心孔の外周にＡ相巻線を巻装する第１歯部によって形成される第１スロットを放射状に配し、この第１歯部からさらに外周方向に二股に延設してＢ相巻線を巻装する第２歯部によって形成される第２スロットを有する固定子鉄心と、前記中心孔と前記第１歯部との間に配する運転用コンデンサと、前記第１歯部と第２歯部を絶縁する樹脂成型品からなる絶縁体とからなり、前記固定子鉄心にコンデンサ収納孔を設け、前記運転用コンデンサの軸方向寸法の少なくとも一部を収納する構成の外転型コンデンサ電動機の固定子。
【請求項１３】
固定子鉄心に設けるコンデンサ収納孔と同寸法の予備孔を複数個設け、前記固定子鉄心の平面上において、前記予備孔とコンデンサ収納孔とを円周方向に等間隔に配置する請求項１２記載の外転型コンデンサ電動機の固定子。
【発明の詳細な説明】
【技術分野】
【０００１】
本発明は、同心円状に内周側の巻線と外周側の巻線を有する固定子であって、この巻線と固定子鉄心との絶縁に複数に分割した絶縁体を用いる外転型コンデンサの電動機の固定子に関する。
【背景技術】
【０００２】
従来、この種の外転型コンデンサ電動機の固定子においては、一体型の固定子鉄心に適当な絶縁処理を施し、同心円状に２相の巻線を巻装する固定子が知られている。（例えば特許文献１参照）。
【０００３】
以下、その外転型コンデンサ電動機の固定子について、図１０から図１３を参照しながら説明する。
【０００４】
図に示すように、固定子鉄心１００は中心に中空軸１１３を保持する孔１０１を有し、その外周近傍に複数個の第１歯部１０２とここから外周方向に二股に延設する第２歯部１０３とからなり、この第１歯部１０２と第２歯部１０３によって、Ａ相巻線１０９が巻装される第１スロット１０４と、Ｂ相巻線１１０が巻装される第２スロット１０５が形成されている。このＡ相巻線１０９とＢ相巻線１１０の巻装においては、予め第１スロット１０４と第２スロット１０５のそれぞれを、電気絶縁用フィルム材からなり固定子鉄心１００の上下面からｈ寸法だけ延出するスロット絶縁フィルム１０８で絶縁処理が施され、第１スロット開口部１０６や第２スロット開口部１０７を介して巻装されていた。この巻線の巻装後、レーシング（図示せず）すなわち糸縛りを施すとともにワニスを含浸してなる構成の外転型コンデンサ電動機の固定子１１４としていた。
【特許文献１】実開昭６１−１４９９５４号公報
【発明の開示】
【発明が解決しようとする課題】
【０００５】
このような従来の外転型コンデンサ電動機の固定子では、第１スロット１０４および第２スロット１０５の内面の絶縁処理にフィルム材を折り曲げ成形していることから、固定子鉄心１００の上下面と巻線１０９、１１０との絶縁距離確保、すなわち空間距離を確保するため、スロット絶縁フィルム１０８を固定子鉄心１００の積層方向に延出させることになり、巻線１０９、１１０の高さが大きくなるという課題があり、巻線の高さを低減することで薄型化するとともに使用する巻線材料を削減することが要求されている。
【０００６】
これを解決するために、フィルム材の替わりに樹脂の一体型成型品で固定子鉄心の上下面とスロット内部を同時に絶縁する方法が考えられる。しかしながら、外転型コンデンサ電動機の固定子の場合は、固定子鉄心の外周側に歯部およびスロットが存在するため、中央部分には絶縁が必要ないにもかかわらず樹脂成型には比較的寸法の大きな金型が必要となり、さらに成型設備の能力も高いものが必要とされ、総費用が高くなるという課題が生じ、生産コストの削減が要求されている。
【０００７】
また、巻装した巻線の一部の垂れ下がりを防止するために、巻線を固着するレーシング処理やワニス含浸などの工程が必要となる課題があり、レーシング用の糸材やワニス材などの材料費やその加工工数および設備維持費などの生産コストを低減することが要求されている。
【０００８】
本発明は、このような従来の課題を解決するものであり、金型、設備の費用を低減させながら巻線と固定子鉄心との絶縁性能を確保し、固定子の薄型化ができ、また使用する材料を削減することができる外転型コンデンサ電動機の固定子を提供することを目的としている。
【課題を解決するための手段】
【０００９】
本発明の外転型コンデンサ電動機の固定子は上記目的を達成するために、中心に中空軸を保持する中心孔を有し、この中心孔の外周にＡ相巻線を巻装する第１歯部によって形成される第１スロットを放射状に配し、この第１歯部からさらに外周方向に二股に延設してＢ相巻線を巻装する第２歯部によって形成される第２スロットを有する固定子鉄心と、前記中心孔と前記第１歯部との間に配する運転用コンデンサと、前記第１歯部と第２歯部を絶縁する樹脂成型品からなる絶縁体とからなり、この絶縁体は、前記第１スロットおよび第２スロット内で軸方向から重ね合わせる分割構造であるとともに、１つの絶縁体が１つの第１歯部と、ここから延設する２つの第２歯部とを同時に絶縁するよう、前記第１スロット部で分割して複数からなる構成としたものである。
【００１０】
この手段により、絶縁体を成型する金型寸法の小型化と成型設備能力の省力化ができるとともに、巻線の高さを低減できることで固定子の薄型化と使用する材料削減が可能となり生産コストの低減が可能となる外転型コンデンサ電動機の固定子が得られる。
【００１１】
また、絶縁体の上面にＡ相巻線の内周側に位置する内壁と、Ｂ相巻線の外周側に位置する外壁と、前記Ａ相巻線とＢ相巻線を分離する位置に中間壁とを立設する構成としたものである。
【００１２】
この手段により、Ａ相巻線とＢ相巻線の接触を回避でき、巻線品質を向上させることができる外転型コンデンサ電動機の固定子が得られる。
【００１３】
また、中間壁に巻線端末を絡げる金属端子の取付け部を設ける構成としたものである。
【００１４】
この手段により、巻線巻装作業の障害とならず巻線近傍に金属端子を取り付けることで接続の作業性を向上させることができる外転型コンデンサ電動機の固定子が得られる。
【００１５】
また、隣り合う絶縁体の一方の絶縁体に、第１スロット部に軸方向に垂直な方向に薄肉の鍔部を延設し、他方の絶縁体に前記鍔部を係合する段部を形成する構成としたものである。
【００１６】
この手段により、Ａ相巻線と固定子鉄心との絶縁距離を確保して安全性を向上させることができる外転型コンデンサ電動機の固定子が得られる。
【００１７】
また、絶縁体の第２歯部の外側に、スロット開口絶縁部を軸方向に延設する構成としたものである。
【００１８】
この手段により、Ａ相巻線の巻装作業において巻線へのダメージ緩和とＢ相巻線と固定子鉄心との絶縁距離を確保して安全性を向上させることができる外転型コンデンサ電動機の固定子が得られる。
【００１９】
また、運転用コンデンサは樹脂製のケースにコンデンサ素子が封入された形態で、前記ケースの一端にターミナルベース部を形成し、他端に中空軸に対し爪状の係合部を形成する構成としたものである。
【００２０】
この手段により、運転用コンデンサの取付けを容易にすることができる外転型コンデンサ電動機の固定子が得られる。
【００２１】
また、中空軸に係合段部を形成し、この係合段部に運転用コンデンサのケースに設ける爪状の係合部を係合させる構成としたものである。
【００２２】
この手段により、運転用コンデンサの軸方向の位置決めを行い、位置ズレを防止できる外転型コンデンサ電動機の固定子が得られる。
【００２３】
また、固定子鉄心の表面に係合孔を形成し、運転用コンデンサのケース底面に凸部を設け、この凸部を前記係合孔に係合させる構成としたものである。
【００２４】
この手段により、運転用コンデンサの周方向の位置決めを行い、位置ズレを防止できる外転型コンデンサ電動機の固定子が得られる。
【００２５】
また、底面に設ける凸部を、封入しているコンデンサ素子と離れる位置に設ける構成としたものである。
【００２６】
この手段により、コンデンサ素子への熱伝導を抑制しコンデンサ寿命の延命化が図られる外転型コンデンサ電動機の固定子が得られる。
【００２７】
また、運転用コンデンサのケースの一端に設けるターミナルベース部は、Ｂ相巻線の直上まで延設し、上面に温度過昇防止装置取付け部、巻線端末を絡げた端子を挿通させる端子孔を設ける構成としたものである。
【００２８】
この手段により、接続箇所を集約でき電気的接続の作業性が改善できる外転型コンデンサ電動機の固定子が得られる。
【００２９】
また、温度過昇防止装置取付け部に、巻線と温度過昇防止装置のリード線と絶縁距離が確保できる最大限の切欠きを設ける構成としたものである。
【００３０】
この手段により、巻線からの熱の伝播を良くし、温度過昇防止装置の動作精度向上が図られる外転型コンデンサ電動機の固定子が得られる。
【００３１】
また、中心に中空軸を保持する中心孔を有し、この中心孔の外周にＡ相巻線を巻装する第１歯部によって形成される第１スロットを放射状に配し、この第１歯部からさらに外周方向に二股に延設してＢ相巻線を巻装する第２歯部によって形成される第２スロットを有する固定子鉄心と、前記中心孔と前記第１歯部との間に配する運転用コンデンサと、前記第１歯部と第２歯部を絶縁する樹脂成型品からなる絶縁体とからなり、前記固定子鉄心にコンデンサ収納孔を設け、前記運転用コンデンサの軸方向寸法の少なくとも一部を収納する構成としたものである。
【００３２】
この手段により、固定子の軸方向寸法を縮小できる外転型コンデンサ電動機の固定子が得られる。
【００３３】
また、固定子鉄心に設けるコンデンサ収納孔と同寸法の予備孔を複数個設け、前記固定子鉄心の平面上において、前記予備孔とコンデンサ収納孔とを円周方向に等間隔に配置する構成としたものである。
【００３４】
この手段により、電動機の軽量化が可能になると同時に、重量バランスを均一に保たれ電動機運転時の振動を抑制できる外転型コンデンサ電動機の固定子が得られる。
【発明の効果】
【００３５】
本発明によれば絶縁体を成型する金型寸法の小型化と成型設備能力の省力化ができるとともに、巻線の高さを低減できることで固定子の薄型化と使用する材料削減が可能となり生産コストの低減が可能となる外転型コンデンサ電動機の固定子を提供できる。
【００３６】
また、Ａ相巻線とＢ相巻線の接触を回避でき、巻線品質を向上させることができる外転型コンデンサ電動機の固定子を提供できる。
【００３７】
また、この手段により、巻線巻装作業の障害とならない巻線近傍に金属端子を取り付けることで接続の作業性を向上させることができる外転型コンデンサ電動機の固定子を提供できる。
【００３８】
また、Ａ相巻線と固定子鉄心との絶縁距離を確保して安全性を向上させることができる外転型コンデンサ電動機の固定子を提供できる。
【００３９】
また、Ａ相巻線の巻装作業において巻線へのダメージ緩和とＢ相巻線と固定子鉄心との絶縁距離を確保して安全性を向上させることができる外転型コンデンサ電動機の固定子を提供できる。
【００４０】
また、運転用コンデンサの取付けを容易にすることができる外転型コンデンサ電動機の固定子を提供できる。
【００４１】
また、運転用コンデンサの軸方向の位置決めを行い、位置ズレを防止できる外転型コンデンサ電動機の固定子を提供できる。
【００４２】
また、運転用コンデンサの周方向の位置決めを行い、位置ズレを防止できる外転型コンデンサ電動機の固定子を提供できる。
【００４３】
また、コンデンサ素子への熱伝導を抑制しコンデンサ寿命の延命化が図られる外転型コンデンサ電動機の固定子を提供できる。
【００４４】
また、接続箇所を集約でき電気的接続の作業性が改善できる外転型コンデンサ電動機の固定子を提供できる。
【００４５】
また、巻線からの熱の伝播を良くし、温度過昇防止装置の動作精度向上が図られる外転型コンデンサ電動機の固定子を提供できる。
【００４６】
また、固定子の軸方向寸法を縮小できる外転型コンデンサ電動機の固定子を提供できる。
【００４７】
また、電動機の軽量化が可能になると同時に、重量バランスを均一に保たれ電動機運転時の振動を抑制できる外転型コンデンサ電動機の固定子を提供できる。
【発明を実施するための最良の形態】
【００４８】
本発明の請求項１記載の発明は、中心に中空軸を保持する中心孔を有し、この中心孔の外周にＡ相巻線を巻装する第１歯部によって形成される第１スロットを放射状に配し、この第１歯部からさらに外周方向に二股に延設してＢ相巻線を巻装する第２歯部によって形成される第２スロットを有する固定子鉄心と、前記中心孔と前記第１歯部との間に配する運転用コンデンサと、前記第１歯部と第２歯部を絶縁する樹脂成型品からなる絶縁体とからなり、この絶縁体は、前記第１スロットおよび第２スロット内で軸方向から重ね合わせる分割構造であるとともに、１つの絶縁体が１つの第１歯部と、ここから延設する２つの第２歯部とを同時に絶縁するよう、前記第１スロット部で分割して複数からなるものであり、それぞれの絶縁体の外形寸法が小さく構成できるとともに、固定子鉄心表面が絶縁体で覆われ巻線の軸方向の空間寸法が不要になるという作用を有する。
【００４９】
また、絶縁体の上面にＡ相巻線の内周側に位置する内壁と、Ｂ相巻線の外周側に位置する外壁と、前記Ａ相巻線とＢ相巻線を分離する位置に中間壁とを立設するものであり、Ａ相巻線は内壁と中間壁に保持され、Ｂ相巻線は中間壁と外壁に保持されるという作用を有する。
【００５０】
また、中間壁に巻線端末を絡げる金属端子の取付け部を設けるのものであり、内周側に巻装するＡ相巻線と外周側に巻装するＢ相巻線それぞれの始終端末線を金属端子に絡げる作業が容易になるという作用を有する。
【００５１】
また、隣り合う絶縁体の一方の絶縁体に、第１スロット部に軸方向に垂直な方向に薄肉の鍔部を延設し、他方の絶縁体に前記鍔部を係合する段部を形成するものであり、Ａ相巻線の量が増大してもこのＡ相巻線と固定子鉄心の絶縁距離が確実に確保できるという作用を有する。
【００５２】
また、絶縁体の第２歯部の外側に、スロット開口絶縁部を軸方向に延設するものであり、Ａ相巻線を巻装する際に、Ａ相巻線が通過するスロット開口部の固定子鉄心の露出が無くなるとともに、Ｂ相巻線と固定子鉄心との絶縁距離が確実に確保できるという作用を有する。
【００５３】
また、運転用コンデンサは樹脂製のケースにコンデンサ素子が封入された形態で、前記ケースの一端にターミナルベース部を形成し、他端に中空軸に対し爪状の係合部を形成するものであり、別部品を使うことなく運転用コンデンサが中空軸に確実に保持固定されるという作用を有する。
【００５４】
また、中空軸に係合段部を形成し、この係合段部に運転用コンデンサのケースに設ける爪状の係合部を係合させるものであり、運転用コンデンサの軸方向の位置決めが確実になるという作用を有する。
【００５５】
また、固定子鉄心の表面に係合孔を形成し、運転用コンデンサのケース底面に凸部を設け、この凸部を前記係合孔に係合させるものであり、運転用コンデンサの周方向の位置決めが確実になるという作用を有する。
【００５６】
また、底面に設ける凸部を、封入しているコンデンサ素子と離れる位置に設けるものであり、巻線および固定子鉄心から発生する熱がコンデンサ素子に伝わり難くなるという作用を有する。
【００５７】
また、運転用コンデンサのケースの一端に設けるターミナルベース部は、Ｂ相巻線の直上まで延設し、上面に温度過昇防止装置取付け部、巻線端末を絡げた端子を挿通させる端子孔を設けるものであり、このターミナルベース部の上面に必要な電気的接続部品が全て配置できるという作用を有する。
【００５８】
また、温度過昇防止装置取付け部に、巻線と温度過昇防止装置のリード線と絶縁距離が確保できる最大限の切欠きを設けるものであり、この切欠きを介して巻線から発生する熱が直接温度過昇防止装置に伝わるという作用を有する。
【００５９】
また、中心に中空軸を保持する中心孔を有し、この中心孔の外周にＡ相巻線を巻装する第１歯部によって形成される第１スロットを放射状に配し、この第１歯部からさらに外周方向に二股に延設してＢ相巻線を巻装する第２歯部によって形成される第２スロットを有する固定子鉄心と、前記中心孔と前記第１歯部との間に配する運転用コンデンサと、前記第１歯部と第２歯部を絶縁する樹脂成型品からなる絶縁体とからなり、前記固定子鉄心にコンデンサ収納孔を設け、前記運転用コンデンサの軸方向寸法の少なくとも一部を収納するものであり、固定子鉄心上面に突出する運転用コンデンサの高さを抑制できるという作用を有する。
【００６０】
また、固定子鉄心に設けるコンデンサ収納孔と同寸法の予備孔を設け、前記固定子鉄心の平面上において、前記予備孔とコンデンサ収納孔とを円周方向に等間隔に配置するものであり、コンデンサ収納孔と予備孔を形成する分の軽量化と重量バランスの均一化ができるという作用を有する。
【００６１】
以下、本発明の実施の形態について図面を参照しながら説明する。
【００６２】
（実施の形態１）
図１から図７に示すように、固定子鉄心２はその中心部に中空軸２３を圧入保持する中心孔３を有し、この中心孔３の外周側に等間隔で放射状に位置してＡ相巻線１０を巻装する第１歯部４と、この第１歯部４からさらに外周方向に二股に延設してＢ相巻線１１を巻装する第２歯部５とを形成してなる。また、隣り合う第１歯部４によって、第１スロット６が形成され、二股に延設した第２歯部５の間に第２スロット７が形成されている。固定子鉄心２とそれぞれの巻線の絶縁には樹脂成型品からなる絶縁体１２を介しており、巻線巻装後に中心孔３と第１歯部との間に運転用コンデンサ２５を配し、固定子１を構成している。
【００６３】
ここで、絶縁体１２は軸方向から第１スロット絶縁部１６と第２スロット絶縁部１７とを重ね合わせる分割構造であるとともに、１つの絶縁体１２が１つの第１歯部４と、ここから延設する二股の第２歯部５とを同時に絶縁する歯部絶縁部１８を有する、つまり軸方向に重なり合う絶縁体Ａ１２Ａと絶縁体Ｂ１２Ｂ、そして絶縁体Ａ１２Ａと円周方向に隣り合う絶縁体Ｃ１２Ｃとなるよう第１スロット６で円周方向に分割されている。
【００６４】
また、絶縁体１２の反固定子鉄心側で、Ａ相巻線１０の内周側に内壁１３と、Ｂ相巻線の外周側に外壁１５と、それぞれの巻線の間に中間壁１４を立設している。
【００６５】
また、中間壁１４に、Ａ相巻線巻き始め１０ｓ、Ａ相巻線巻き終り１０ｅ、Ｂ相巻線巻き始め１１ｓ、Ｂ相巻線巻き終り１１ｅを絡げる金属性の端子３２の設置が可能な端子取付け部２２を形成している。
【００６６】
また、絶縁体Ｃ１２Ｃの第１スロット絶縁部１６に、軸方向に垂直な方向、すなわち隣り合う絶縁体Ａ１２Ａの方向に薄肉の鍔部２０を形成し、かつ絶縁体Ａ１２Ａにはこの鍔部２０と係合するよう段部２１を形成している。
【００６７】
また、絶縁体１２の歯部絶縁部１８の両側に、第２歯部５の側面を覆うように第１スロット開口部８の長手方向に沿ってスロット開口絶縁部１９を軸方向に延設するもので、この軸方向の長さは巻装されるＢ相巻線１１と第２歯部５との絶縁距離が確保できる最小限のＨ寸法を有している。
【００６８】
また、運転用コンデンサ２５は樹脂製のケース２６にコンデンサ素子２７を封入した形態となっており、このケース２６の一方の面に平面状のターミナルベース部２９を延設形成するとともに、もう一方の面に中空軸２３を挟み係合できる爪状の係合部２８を形成している。
【００６９】
また、中空軸２３に一条の凹状の係合段部３０を形成して、運転用コンデンサ２５の係合部２８が係合できる構成としている。
【００７０】
また、運転用コンデンサ２５が位置する固定子鉄心２の表面に、少なくとも１箇所の係合孔２４を設けるとともに、運転用コンデンサ２５のケース２６の底面に凸部３１を設け、この凸部３１が係合部２８に係合する構成としている。
【００７１】
また、運転用コンデンサ２５のケース２６の底面に設ける凸部３１は、ケース２６内部のコンデンサ素子２７からできるだけ離れるよう片隅に設ける構成としている。
【００７２】
また、ケース２６の一方の面に形成するターミナルベース部２９は少なくともＢ相巻線１１の直上近傍まで延設しており、その上面に温度過昇防止装置３３を配置できる温度過昇防止装置取付け部３４を少なくとも１箇所設けるとともに、端子３２を挿通する端子孔３５を複数設ける構成としている。
【００７３】
また、温度過昇防止装置取付け部３４の直下に、Ｂ相巻線１１と温度過昇防止装置３３両端のリード線３３ａとの絶縁距離が確保できる最大限の切欠き３６を形成している。
【００７４】
上記構成において、絶縁体１２を１つの第１歯部４と、ここから延設する二股の第２歯部５とを同時に絶縁するよう、軸方向および円周方向に複数に分割しているので、個々の絶縁体１２の寸法が小さくなり、この絶縁体１２を成型する金型寸法の小型化と成型設備能力の省力化ができる。また、固定子鉄心２の表面を絶縁体１２で覆うことで、Ａ相巻線１０、Ｂ相巻線１１の高さを低減でき、固定子１の薄型化と使用する材料削減が可能となり生産コストの低減が可能となる。
【００７５】
また、絶縁体１２に内壁１３、外壁１５および中間壁１４を設けたので、Ａ相巻線１０とＢ相巻線１１相互の接触が回避できるとともに保持が可能となり、それぞれの巻線を固着する必要がなくなる。
【００７６】
また、中間壁１４に端子取付け部２２を形成することから、Ａ相巻線１０、Ｂ相巻線１１の巻装作業の障害とならず、それぞれの巻線端末であるＡ相巻線巻き始め１０ｓ、Ａ相巻線巻き終り１０ｅ、Ｂ相巻線巻き始め１１ｓ、Ｂ相巻線巻き終り１１ｅの接続作業が容易にできる。
【００７７】
また、隣り合う絶縁体Ｃ１２Ｃと絶縁体Ａ１２Ａの第１スロット絶縁部１６に鍔部２０と段部２１をそれぞれ形成することから、Ａ相巻線１０の巻装量が増加した場合でも、第１スロット６におけるＡ相巻線１０と固定子鉄心２との絶縁距離を確保することができる。
【００７８】
また、絶縁体１２にスロット開口絶縁部１９を軸方向に延設することから、第１スロット開口部８を介して巻装するＡ相巻線１０へのダメージが緩和できるとともに、Ｂ相巻線１１と固定子鉄心２との絶縁距離が確保できる。
【００７９】
また、運転用コンデンサ２５のケース２６の一方の面に爪状の係合部２８を形成したので、中空軸２３を挟み込むことができ、別部品を用いることなく容易に運転用コンデンサ２５を取り付けることができる。
【００８０】
また、中空軸２３に凹状の係合段部３０を形成することから、爪状の係合部２８が係合段部３０に嵌まり込み、運転用コンデンサ２５の軸方向の位置決めを確実に行うことができる。
【００８１】
また、固定子鉄心２の表面に係合孔２４を設け、運転用コンデンサ２５のケース２６の底面に凸部３１を設けることから、この凸部３１が係合部２８に係合することになり、運転用コンデンサ２５の円周方向の位置決めを確実に行うことができる。
【００８２】
また、凸部３１をケース２６内部のコンデンサ素子２７からできるだけ離れるよう片隅に設けることから、コンデンサ素子２７への熱伝導を抑制しコンデンサ寿命の延命化が図られる。
【００８３】
また、ターミナルベース部２９に、温度過昇防止装置取付け部３４と端子孔３５を複数設けることから、接続箇所が集約することになり、電気的接続の作業性が改善できる。
【００８４】
また、温度過昇防止装置取付け部３４の直下に、切欠き３６を形成することから、Ｂ相巻線１１からの熱の伝播を良くし、温度過昇防止装置３３の動作精度を向上することができる。
【００８５】
（実施の形態２）
図８、図９に示すように、固定子鉄心２の中心孔３とＡ相巻線１０が巻装される第１スロット６との間に、コンデンサ収納孔３７を設け、運転用コンデンサ２５はコンデンサ素子２７が封入されたケース２６の上面近傍の一方にターミナルベース部２９を延設し、もう一方に中空軸２３との係合部２８を形成する。
【００８６】
また、固定子鉄心２に設けるコンデンサ収納孔３７と同じ寸法の複数の予備孔３８を、中心孔３の周囲に等間隔に配する構成。
【００８７】
上記構成により、運転用コンデンサ２５のケース２６は、コンデンサ収納孔３７に軸方向に埋設されることになり、固定子１の軸方向寸法が縮小できる。
【００８８】
また、コンデンサ収納孔３７と複数の予備孔３８を等間隔に配することで、固定子１の軽量化が可能になると同時に、重量バランスを均一に保たれ電動機運転時の振動を抑制できる。
【００８９】
なお、ここではコンデンサ収納孔３７、予備孔３８の平面形状をケース２６の形状に合わせた長方形を図面指示しているが、加工上コーナー取りを施してもよく、またそれぞれの孔を合計３箇所を図面指示しているが、２箇所以上の孔を設ければよく、その作用効果に差異は無い。
【産業上の利用可能性】
【００９０】
本発明にかかる外転型コンデンサ電動機の固定子は、金型、設備の費用を低減させながら巻線と固定子鉄心との絶縁性能を確保し、固定子の薄型化ができ、また使用する材料を削減することができる高品質、低コストの電動機が提供できることになり、たとえば天井扇などの駆動用電動機の用途に展開できる。
【図面の簡単な説明】
【００９１】
【図１】本発明の実施の形態１の外転型コンデンサ電動機の固定子の平面図
【図２】同部分断面図
【図３】同軸方向に重ね合わせる一対の絶縁体の斜視図
【図４】同周方向に重ね合わせる一対の絶縁体の斜視図
【図５】同Ｂ相巻線の側面図
【図６】同固定子鉄心を示す部分破断の平面図
【図７】同運転コンデンサの底面から示す斜視図
【図８】本発明の実施の形態２の外転型コンデンサ電動機の固定子の部分断面図
【図９】同平面図
【図１０】従来の外転型コンデンサ電動機の固定子鉄心を示す平面図
【図１１】同固定子の断面図
【図１２】同巻線の巻装を完了した固定子の平面図
【図１３】同Ｂ相巻線の側面図
【符号の説明】
【００９２】
１      固定子
２      固定子鉄心
３      中心孔
４      第１歯部
５      第２歯部
６      第１スロット
７      第２スロット
８      第１スロット開口部
９      第２スロット開口部
１０    Ａ相巻線
１０ｓ  Ａ相巻線巻き始め
１０ｅ  Ａ相巻線巻き終り
１１    Ｂ相巻線
１１ｓ  Ｂ相巻線巻き始め
１１ｅ  Ｂ相巻線巻き終り
１２    絶縁体
１２Ａ  絶縁体Ａ
１２Ｂ  絶縁体Ｂ
１２Ｃ  絶縁体Ｃ
１３    内壁
１４    中間壁
１５    外壁
１６    第１スロット絶縁部
１７    第２スロット絶縁部
１８    歯部絶縁部
１９    スロット開口絶縁部
２０    鍔部
２１    段部
２２    端子取付け部
２３    中空軸
２４    係合孔
２５    運転用コンデンサ
２６    ケース
２７    コンデンサ素子
２８    係合部
２９    ターミナルベース部
３０    係合段部
３１    凸部
３２    端子
３３    温度過昇防止装置
３３ａ  リード線
３４    温度過昇防止装置取付け部
３５    端子孔
３６    切欠き
３７    コンデンサ収納孔
３８    予備孔
【図１】
2009071913.tif 000003
【図２】
2009071913.tif 000004
【図３】
2009071913.tif 000005
【図４】
2009071913.tif 000006
【図５】
2009071913.tif 000007
【図６】
2009071913.tif 000008
【図７】
2009071913.tif 000009
【図８】
2009071913.tif 000010
【図９】
2009071913.tif 000011
【図１０】
2009071913.tif 000012
【図１１】
2009071913.tif 000013
【図１２】
2009071913.tif 000014
【図１３】
2009071913.tif 000015